(57)【特許請求の範囲】
【請求項１】
排水口を覆うための排水口蓋であって、
上下厚み方向に貫通する複数の開口部を有する金属板と、
この金属板の下面側に積層されて前記金属板の下面側の縁端に接し、かつ前記複数の開口部に嵌まり込む複数の嵌合部を有する樹脂体と、
を備えており、
前記樹脂体の下面側に積層された追加の金属板を、さらに備えていることを特徴とする、排水口蓋。
【請求項２】
請求項１に記載の排水口蓋であって、
前記複数の開口部の少なくとも１つは、上広がり状の開口部とされており、
前記複数の嵌合部の少なくとも１つは、前記上広がり状の開口部の上向き傾斜面に接触するように前記開口部に嵌まり込む嵌合部とされている、排水口蓋。
【請求項３】
請求項１または２に記載の排水口蓋であって、
前記金属板は、前記複数の開口部の少なくとも１つの下部開口周縁部が下向きに突出して前記樹脂体に係入している下向き環状凸部を有している、排水口蓋。
【請求項４】
請求項１ないし３のいずれかに記載の排水口蓋であって、
前記樹脂体は、前記金属板の外周側面を覆う周枠部を有している、排水口蓋。
【請求項５】
請求項４に記載の排水口蓋であって、
前記周枠部は、前記金属板の上面の外周縁部に重なった第１の重なり部を有している、排水口蓋。
【請求項６】
請求項１ないし５のいずれかに記載の排水口蓋であって、
前記複数の嵌合部の少なくとも１つは、前記金属板の上方に突き出して前記金属板の上面の一部に重なった第２の重なり部が形成された嵌合部とされている、排水口蓋。
【請求項７】
請求項１ないし６のいずれかに記載の排水口蓋であって、
前記樹脂体は暗色である、排水口蓋。
【請求項８】
請求項１ないし７のいずれかに記載の排水口蓋であって、
前記金属板および前記樹脂体には、これらの厚み方向に一連に貫通し、かつ前記金属板の上面から前記樹脂体の下方に液体を流通させることが可能な開口部が設けられている、排水口蓋。
【請求項９】
請求項１ないし８のいずれかに記載の排水口蓋であって、
前記追加の金属板の四隅部分またはその近傍には、前記追加の金属板を厚み方向に貫通する複数の追加の開口部が設けられ、
前記樹脂体は、前記複数の追加の開口部に嵌まり込んで前記追加の金属板の下方に突出する部分を有し、この部分は、排水口蓋支持用の脚部とされている、排水口蓋。
【請求項１０】
請求項１ないし９のいずれかに記載の排水口蓋であって、
前記金属板、前記樹脂体、および前記追加の金属板には、これらの厚み方向に一連に貫通し、かつ前記金属板の上面から前記追加の金属板の下方に液体を流通させることが可能な開口部が設けられている、排水口蓋。
【発明の詳細な説明】
【技術分野】
【０００１】
本発明は、排水口を覆うための排水口蓋に関する。
【背景技術】
【０００２】
浴室の床などに設けられる排水口に対しては、当該排水口を覆うように排水口蓋が配設される（たとえば特許文献１，２）。排水口蓋については、デザイン性や清掃の容易性の観点から金属製のものが求められる場合がある。
【０００３】
しかしながら、金属製の排水口蓋は、排水口の清掃などを行なう者が取り扱う最中に誤って落とした場合の取扱者身体への安全性が懸念される。金属製の排水口蓋は、蓋体としての強度を確保できる程度に比較的厚く、したがって重い傾向にある。このような排水口蓋を取扱者が手で持って取り扱う最中に落とした場合、金属製排水口蓋の鋭い金属エッジが取扱者身体を傷つけてしまう危険がある。
【先行技術文献】
【特許文献】
【０００４】
【特許文献１】特開平９−１２５４７９号公報
【特許文献２】特許第４４３７８５３号公報
【発明の概要】
【発明が解決しようとする課題】
【０００５】
本発明は、前記したような事情の下で考え出されたものであり、取り扱い時に誤って落とすことによる危険性を低減することが可能な排水口蓋を提供することを、その課題としている。
【課題を解決するための手段】
【０００６】
上記の課題を解決するため、本発明では、次の技術的手段を講じている。
【０００７】
本発明により提供される排水口蓋は、排水口を覆うための排水口蓋であって、上下厚み方向に貫通する複数の開口部を有する金属板と、この金属板の下面側に積層されて前記金属板の下面側の縁端に接し、かつ前記複数の開口部に嵌まり込む複数の嵌合部を有する樹脂体と、を備えており、前記樹脂体の下面側に積層された追加の金属板を、さらに備えていることを特徴としている。
【０００８】
このような構成によれば、次のような効果が得られる。
すなわち、樹脂体の各嵌合部は、金属板の開口部に係止された状態となるため、金属板と樹脂体との固定を担い、金属板と樹脂体との積層構造が一体化される。したがって、本発明によれば、排水口履設時に露出する金属板上面によって、デザイン性・掃除性に優れた金属意匠面を構成しつつ、金属板と樹脂体との積層構造をもって、排水口蓋に要求される強度を十分に確保することができる。その結果、金属意匠面を有しつつも比較的軽く設計するのに適したものとなる。軽い排水口蓋は、排水口清掃などを行なう者による取り扱いの最中に誤って落とされ難くなるため、誤って落とされることによる危険性を低減する効果も得られる。また、本発明によれば、金属板と一体となって積層構造をなす樹脂体が、金属板の下面側の縁端に接しているため、当該縁端のエッジ形状が剥き出しになっていない。このため、排水口蓋が誤って落とされた場合であっても、金属板の下面側の縁端が取扱者の身体を傷つけることを防ぐ効果が得られ、取扱者が誤って落とすことによる危険性を低減するのに適する。
さらにこのような構成によれば、樹脂体の下面側を汚れ難くし、排水口蓋の清掃作業などを容易にすることができる。樹脂体は、金属板と比べて汚れを生じ易く、樹脂体の上面に金属板が積層されているだけでは、樹脂体の下面側が汚れ易くなるが、前記構成によれば、樹脂体の下面側が追加の金属板によって覆われているため、前記不具合を解消し、排水口蓋をより衛生的なものとすることができる。また、追加の金属板の存在により、排水口蓋の薄型化を図りつつ、全体の強度をより高めることもできる。
【０００９】
本発明において、好ましくは、前記複数の開口部の少なくとも１つは、上広がり状の開口部とされており、前記複数の嵌合部の少なくとも１つは、前記上広がり状の開口部の上向き傾斜面に接触するように前記開口部に嵌まり込む嵌合部とされている。
このような構成によれば、樹脂体から延出する嵌合部の金属板の開口部に対する係止状態を高めるのに好適となり、金属板と樹脂体とをより強固に固定させ、樹脂体上において金属板がガタツキを生じたり、浮き上がりを生じたりすることを適切に防止することができる。
【００１０】
本発明において、好ましくは、前記金属板は、前記複数の開口部の少なくとも１つの下部開口周縁部が下向きに突出して前記樹脂体に係入している下向き環状凸部を有している。
このような構成によれば、下向き環状凸部が樹脂体に係入する作用に基づき、金属板と樹脂体との固定をより強固にする効果が得られる。
【００１１】
本発明において、好ましくは、前記樹脂体は、前記金属板の外周側面を覆う周枠部を有している。
このような構成によれば、金属板と樹脂体との固定をより強固にし得ることに加え、取扱者が誤って落とすことによる上述した危険性を低減するのに一層適したものとなる。すなわち、前記構成においては、樹脂体の周枠部が金属板の外周側面を覆い、金属板における下面側の縁端に加えて上面側の縁端にも接しており、前記した両縁端ともにエッジ形状が剥き出しになっていない。そのため、排水口蓋が誤って落とされた場合に、金属板の上面側および下面側のそれぞれの縁端が取扱者の身体を傷つけることが好適に防止される。また、周枠部は、金属板の縁端の金属エッジによって取扱者に擦り傷が生じることを防止する機能も有する。
【００１２】
本発明において、好ましくは、前記周枠部は、前記金属板の上面の外周縁部に重なった第１の重なり部を有している。
このような構成によれば、前記第１の重なり部が金属板と樹脂体との固定に資することに加え、金属板の上面における滑り止め効果をも発揮する。金属板は、その上面が濡れている際には特に滑り易く、たとえば浴室床の排水口に履設される排水口蓋については、入浴者がこの排水口蓋上で足を滑らせて転倒するようなことを防止する必要があるが、前記第１の重なり部は、そのようなことを防止可能な滑り止め効果をも発揮する。
【００１３】
本発明において、好ましくは、前記複数の嵌合部の少なくとも１つは、前記金属板の上方に突き出して前記金属板の上面の一部に重なった第２の重なり部が形成された嵌合部とされている。
このような構成によれば、前記第２の重なり部が金属板と樹脂体との固定に資するのに加え、金属板の上面における滑り止め効果も発揮する。
【００１４】
本発明において、好ましくは、前記樹脂体は暗色である。
このような構成によれば、排水口蓋における金属意匠面のデザイン性を際立たせ、樹脂体と金属板との組み合わせに違和感を生じ難くすることが可能である。排水口蓋を、たとえば浴室などの床の排水口に設置して使用する場合、暗色の樹脂体は、あたかも床と排水口蓋との隙間、またはその一部であるかのように視認され易く、排水口蓋全体を浴室などの床に対して違和感なく調和させ易い。
【００１５】
本発明において、好ましくは、前記金属板および前記樹脂体には、これらの厚み方向に一連に貫通し、かつ前記金属板の上面から前記樹脂体の下方に液体を流通させることが可能な開口部が設けられている。
このような構成によれば、排水口蓋に排水性をもたせ、排水口蓋上に湯水などの液体が
多く溜まらないようにすることができる。
【００１７】
本発明において、好ましくは、前記追加の金属板の四隅部分またはその近傍には、前記追加の金属板を厚み方向に貫通する複数の追加の開口部が設けられ、前記樹脂体は、前記複数の追加の開口部に嵌まり込んで前記追加の金属板の下方に突出する部分を有し、この部分は、排水口蓋支持用の脚部とされている。
このような構成によれば、排水口蓋支持用の脚部を、簡易な構成によって適切に設けることができる。
【００１８】
本発明において、好ましくは、前記金属板、前記樹脂体、および前記追加の金属板には、これらの厚み方向に一連に貫通し、かつ前記金属板の上面から前記追加の金属板の下方に液体を流通させることが可能な開口部が設けられている。
このような構成によれば、排水口蓋に排水性をもたせ、排水口蓋上に湯水などの液体が多く溜まらないようにすることができる。
【００１９】
本発明のその他の特徴および利点は、添付図面を参照して以下に行なう発明の実施の形態の説明から、より明らかになるであろう。
【図面の簡単な説明】
【００２０】
【図１】排水口蓋の一例を示す斜視図である。
【図２】図１に示す排水口蓋の底面図である。
【図３】（ａ）は、図１のIII−III断面図であり、（ｂ）は、（ａ）の部分拡大図である。
【図４】図１に示す排水口蓋が排水口に履設された状態の一例を示す平面図である。
【図５】図４のV−V断面図である。
【図６】排水口蓋の他の例の斜視図である。
【図７】（ａ）は図６のVII−VII断面図であり、（ｂ）は、（ａ）の部分拡大図である。
【図８】（ａ）は、排水口蓋の例を示す断面図であり、（ｂ）は、（ａ）の部分拡大図である。
【図９】排水口蓋の他の例を示す部分拡大図である。
【図１０】（ａ）は、排水口蓋の他の列を示す断面図であり、（ｂ）は、（ａ）の部分拡大図である。
【図１１】（ａ）は、排水口蓋の他の例を示す断面図であり、（ｂ）は、（ａ）の部分拡大図である。
【図１２】排水口蓋の他の例を示す斜視図である。
【図１３】図１２に示す排水口蓋の底面図である。
【図１４】図１２のXIV−XIV断面図である。
【図１５】（ａ）は、本発明の排水口蓋の一例を示す斜視図であり、（ｂ）は、（ａ）のXV−XV断面図である。
【図１６】本発明の他の例を示す断面図である。
【図１７】（ａ）は、排水口蓋の他の例を示す斜視図であり、（ｂ）は、（ａ）のXVII−XVII断面図である。
【図１８】排水口蓋の他の例を示す断面図である。
【発明を実施するための形態】
【００２１】
以下、本発明の好ましい実施の形態について、図面を参照して具体的に説明する。
【００２２】
図１〜図３に示す排水口蓋Ｘ１は、浴室の床などに凹設された排水口を覆うためのものであり、金属板１０と樹脂体２０とを備えている。
【００２３】
金属板１０は、平面視略矩形の平板状であり、複数の開口部１４，１５を有している。金属板１０の厚さは、たとえば０．３〜１０ｍｍであり、その材質は、たとえばＳＵＳ３０４などのステンレスまたは銅である。
【００２４】
金属板１０の上面１１は、排水口に対して排水口蓋Ｘ１が履設された状態で外部に露出する面であり、排水口蓋Ｘ１の露出意匠面の主要部である。複数の開口部１４，１５は、金属板１０の上下厚み方向に貫通しているが、開口部１４には、後述する嵌合部２２が進入している。開口部１５は、液体が通流可能なように空いている。
【００２５】
樹脂体２０は、本体部２１、複数の嵌合部２２、周枠部２３、および一対の凸部２４を有しており、金属板１０の下面１２側に積層されている。
【００２６】
樹脂体２０の本体部２１は、金属板１０を支持可能な寸法・形状に形成され、切欠き２１ａ，２１ｂ、および複数の開口部２１ｃを有している。各開口部２１ｃは、図３（ａ）によく表れているように、金属板１０の開口部１５に連通している。これら開口部１５，２１ｃは、金属板１０および樹脂体２０を一連に貫通して液体が通流可能な開口部（排水用孔）をなしている。また、本体部２１は、図３（ｂ）によく表れているように、金属板１０の下面１２における縁端１２ａに接し、かつこの縁端１２ａを越えて図中横方向に広がっている。
【００２７】
複数の嵌合部２２は、金属板１０の複数の開口部１４にそれぞれ嵌まり込んで金属板１０に係止している。図３（ｂ）によく表れているように、各嵌合部２２の先端２２ａと金属板１０の上面１１とは面一である。周枠部２３は、本体部２１上において金属板１０を取り囲むように立設されており、図３（ｂ）によく表れているように、金属板１０の外周側面１３を覆って金属板１０の上面１１の縁端１１ａに接している。周枠部２３の先端２３ａと金属板１０の上面１１とは面一である。図１に示すように、一対の凸部２４は、本体部２１における切欠き２１ａと同じ側において、当該切欠き２１ａを挟んで離隔して設けられている。
【００２８】
樹脂体２０は、たとえば繊維強化樹脂よりなる。繊維強化樹脂としては、たとえば、ポリプロピレンを連続ガラス繊維で強化したシート複合材料を用いることができる。また、樹脂体２０は、黒色や濃褐色などの暗色に着色されている。たとえば、樹脂体２０の樹脂材料として、カーボンブラック粉末を添加したものを用いることにより、黒色に着色された樹脂体２０とすることができる。
【００２９】
排水口蓋Ｘ１は、次のようにして製造することができる。
まず、繊維強化された熱可塑性樹脂材料と金属板１０とを所定の配向で重ね合わせたものに対し、所定の加熱温度・加熱タイミングで加熱軟化処理を施したうえで、金型を使用してプレス成型加工を施す。使用される金型は、排水口蓋Ｘ１の樹脂体２０の外郭形状を成形するように設計された内表面形状を有する。したがって、プレス成型工程では、樹脂
材料の一部が金属板１０の開口部１４に入り込んで充填される一方で、開口部２１ｃを伴う本体部２１が成形されて金属板１０の開口部１５には樹脂材料が入り込まないようにして、樹脂体２０が成形される。プレス成型工程の際に開口部１４に充填された部分が嵌合部２２をなすこととなる。次に、プレス成型工程を経た後に固まった樹脂材料から、樹脂体２０の部分を残して不要な部位を切断除去などする。このようなスタンパブル成形技術により、排水口蓋Ｘ１を製造することができる。
【００３０】
次に、前記した排水口蓋Ｘ１の使用例、ならびに作用について説明する。
【００３１】
まず、排水口蓋Ｘ１は、たとえば図４，図５に示すように、浴室床３０などに凹設された排水口３１に対して履設して使用される。浴室床３０は、浴室床３０上の湯水が排水口３１に向かって流れ進むような、全体的な傾斜構造および各部の傾斜構造を有する。排水口３１は、排水口蓋Ｘ１を受け入れて下方から支持できる構造の受け口３１ａを有する。排水口蓋Ｘ１は、排水口履設状態において浴室床３０と排水口蓋Ｘ１の上面とが面一となり、かつ受け口３１ａとの間で水平方向に隙間Ｇ，Ｇ’ができるような、設計寸法を有する。
【００３２】
排水口３１に向けて浴室床３０上を流れ進んだ湯水は、排水口蓋Ｘ１に至ると、隙間Ｇ，Ｇ’に入り込み、排水口蓋Ｘ１の樹脂体２０の切欠き２１ａ，２１ｂを通って排水口３１へと流入する。あるいは、排水口蓋Ｘ１に至った湯水は、金属板１０および樹脂体２０を貫通する上述の開口部１５，２１ｃを通って排水口３１へと流入する。このようにして、浴室床３０上の湯水は排水される。樹脂体２０の周枠部２３の先端２３ａと金属板１０の上面１１とは面一であるため、浴室床３０上と排水口蓋Ｘ１上との間の湯水の流れは周枠部２３によって阻まれることなくスムーズなものとして実現される。このような構成は、良好な排水を実現するのに適する。
【００３３】
排水口蓋Ｘ１を排水口３１の受け口３１ａから取り出す際には、樹脂体２０の本体部２１の切欠き２１ａに指を引っ掛けると取り出し作業を行ない易い。排水口蓋Ｘ１においては、受け口３１ａと排水口蓋Ｘ１との間に指を差し入れられる程度の隙間Ｇ’が確保されるように、樹脂体２０における一対の凸部２４および切欠き２１ａは寸法設計されている。
【００３４】
以上のような排水口蓋Ｘ１においては、樹脂体２０の各嵌合部２２が金属板１０の開口部１４に係止されて金属板１０と樹脂体２０との間の固定を担い、金属板１０と樹脂体２０との積層構造が一体化される。したがって、排水口蓋Ｘ１によると、排水口履設時に露出する金属板１０の上面１１によってデザイン性・清掃容易性に優れた金属意匠面を構成しつつ、金属板１０と樹脂体２０との積層構造をもって、排水口蓋Ｘ１に要求される強度を確保することができる。そのため、排水口蓋Ｘ１は、金属意匠面を有しつつも比較的軽く設計するのに適する。軽い排水口蓋Ｘ１は、排水口清掃などを行なう者による取り扱いの最中に誤って落とされ難く、誤って落とされることによる危険性を低減するのに適する。
【００３５】
排水口蓋Ｘ１においては、図３(ｂ)によく表れているように、金属板１０と一体となって積層構造をなす樹脂体２０が金属板１０における下面１２の縁端１２ａにも上面１１の縁端１１ａにも接している。具体的には、樹脂体２０の本体部２１と周枠部２３が共に下面１２の縁端１２ａに接して覆い、周枠部２３が上面１１の縁端１１ａに接し、金属板１０の縁端１１ａ，１２ａがエッジとして露出しない構成が実現されている。そのため、排水口蓋Ｘ１が誤って落下した場合であっても、金属板１０のエッジないし縁端１１ａ，１２ａが取扱者の身体を傷つけることを防ぐことができる。
【００３６】
加えて、排水口蓋Ｘ１は、上述のように、スタンパブル成形技術によって効率的に製造することができる。金属板１０は、複数の開口部１４を有するところ、樹脂体２０は、プレス成形工程に供される樹脂材料から形成され、金属板１０の開口部１４に嵌まり込む嵌合部２２を複数有する。複数の嵌合部２２のそれぞれは、金属板１０の開口部１４に係止され、金属板１０と樹脂体２０との間の固定を担う。また、金属板１０の外周側面１３を覆う樹脂体２０の周枠部２３も、金属板１０と樹脂体２０との間の固定に資する。そのため、排水口蓋Ｘ１では、金属板１０と樹脂体２０との間を接着剤などで固定する必要はない。したがって、排水口蓋Ｘ１については、樹脂体２０を成形するのと同時に当該樹脂体２０と金属板１０との一体化ないし固定化を図る同時成形を行なって効率的に製造することができる。
【００３７】
樹脂体２０は黒色や濃褐色などの暗色であるため、排水口蓋Ｘ１の金属意匠面のデザイン性への影響を抑制するのに好適である。黒色や濃褐色などの暗色である嵌合部２２および周枠部２３は、排水口蓋Ｘ１が使われる浴室床３０に対して排水口蓋Ｘ１を違和感なく調和させ易い。暗色の嵌合部２２は、あたかも開口部１５および開口部２１ｃと同様の貫通孔であるかのように、視認され易い。暗色の周枠部２３は、あたかも浴室床３０と排水口蓋Ｘ１との間の隙間Ｇ，Ｇ’の一部であるかのように、視認され易いものとなる。
【００３８】
図６〜図１８は、他の実施形態を示している。これらの図において、先の実施形態と同一または類似の要素には、先の実施形態と同一の符号を付すこととし、重複説明は省略する。
【００３９】
図６および図７に示す排水口蓋Ｘ２においては、樹脂体２０Ａが、複数の嵌合部２２Ａ、および周枠部２３Ａを有している。
図７（ｂ）によく表れているように、周枠部２３Ａは、金属板１０よりも高い位置から金属板１０の内側方向に向けて張り出すことにより、金属板１０の上面１１の外周縁部に重なった第１の重なり部２３ｂを有している。各嵌合部２２Ａは、金属板１０の上方に突き出して金属板１０の上面１１の一部に重なった第２の重なり部２２ｂを有している。この第２の重なり部２２ｂは、開口部１４よりも大径である。
【００４０】
本実施形態によれば、第１および第２の重なり部２３ｂ，２２ｂが金属板１０の上面１１を押さえた構造となっているため、金属板１０と樹脂体２０Ａとの固定に資すこととなり、金属板１０の浮き上がりなどを防止するのに好適となる。また、金属表面一般は特に濡れている状態では滑り易いところ、第１および第２の重なり部２３ｂ，２２ｂが金属板１０の上方に突出している構成は、金属板１０の上面１１の滑り止め効果を発揮し、入浴者が金属板１０上において足を滑らせる虞が少なくなる。
【００４１】
図８に示す排水口蓋Ｘ３においては、金属板１０Ａに設けられた複数の開口部１４Ａが、金属板１０Ａの下面１２側から上面１１側に向けて広がった上広がり状とされている。樹脂体２０Ｂの嵌合部２２Ｂは、開口部１４Ａに対応したくさび形とされており、開口部１４Ａの上向き傾斜面に接触するように開口部１４Ａ内に嵌入している。
【００４２】
本実施形態においては、嵌合部２２Ｂがくさび形の形状で開口部１４Ａに係止されているため、樹脂体２０Ｂと金属板１０Ａとの連結強度を高め、金属板１０Ａの浮き上がりやガタツキを防止する上で、一層好ましいものとなる。
【００４３】
図９に示す実施形態は、前記した排水口蓋Ｘ３の変形例に相当する。図９に示すように、樹脂体２０Ｂの各嵌合部２２Ｂ上に、突起部２２ｃを設けてもよい。このような構成は、排水口蓋Ｘ３の金属意匠面における滑り止め効果を得るのに適する。突起部２２ｃの突出高さは、好ましくは０．３ｍｍ以下である。突出高さが０．３ｍｍ以下の突起部２２ｃ
であれば、排水口蓋Ｘ３を足の裏で踏んだとしても過分な刺激を感じず痛くない。また、排水口蓋Ｘ３上を流れる湯水に、たとえば毛髪が混入していても、この毛髪は突起部２２ｃには引っ掛からない。
【００４４】
図１０に示す排水口蓋Ｘ４においては、樹脂体２０Ｃに設けられた複数の嵌合部２２Ｃが、金属板１０Ａの開口部１４Ａの形状に対応して下面１２側から上面１１側にかけて太くなった上広がり状であるとともに、金属板１０Ａの上側に突き出て上面１１の一部に重なった第２の重なり部２２ｄを有している。
本実施形態によれば、嵌合部２２Ｃがくさび形の形状で開口部１４Ａに係止されている構成、および第２の重なり部２２ｄが金属板１０Ａの上面１１を押さえている構成の相乗効果に基づき、金属板１０Ａと樹脂体２０Ｃとの固定がより確実かつ強固となる。第２の重なり部２２ｄが排水口蓋Ｘ４の金属意匠面における滑り止め効果を生じさせることは勿論である。
【００４５】
図１１に示す排水口蓋Ｘ５においては、金属板１０Ｂに、複数の下向き環状凸部１２’が設けられている。下向き環状凸部１２’は、金属板１０の開口部１４Ｂの下部開口周縁部が下向きに突出して樹脂体２０Ｃに係入した部分であり、金属板１０に開口部１４Ｂを形成する際のバーリング加工によって形成されたものである。前記バーリング加工により、金属板１０Ｂの開口部１４Ｂには、図１１（ｂ）によく表れているように、アール面１４’が形成されている。アール面１４’の大きさは金属板１０Ｂの厚さと同程度とされている。したがって、開口部１４Ｂは、上広がり状となっている。樹脂体２０Ｃの嵌合部２２Ｃは、開口部１４Ｂの形状に対応した形態とされ、上側ほど大径であって、くさび形の形状で開口部１４Ｂに係止している。また、嵌合部２２Ｃは、金属板１０Ｂよりも上側に突き出て上面１１の一部に重なった第２の重なり部２２ｂを有している。
【００４６】
本実施形態においても、樹脂体２０Ｃと金属板１０Ｂとの係止状態を確実かつ強固なものとすることが可能であり、金属板１０Ｂの浮き上がりやガタツキを徹底して防止するのに好適である。第２の重なり部２２ｂは、滑り止め効果も発揮する。
【００４７】
図１２〜図１４に示す排水口蓋Ｘ６においては、樹脂体２０Ｄの本体部２１Ａに、金属板１０の複数の開口部１５に連通する広い面積の開口部２１ｄが設けられている。本実施形態では、複数の開口部１５と、これに連通する開口部２１ｄとが、排水口蓋Ｘ６の金属板１０および樹脂体２０Ｄを貫通して液体が流通可能な開口部（排水用孔）をなしている。
このような構成であっても、金属板１０上に流れてきた湯水を開口部１５，２１ｄを介して排水口蓋Ｘ６の下方に適切に排水させることが可能である。
【００４８】
図１５に示す排水口蓋Ｘ７においては、樹脂体２０Ｅの下面側に、追加の金属板４が積層されている。この追加の金属板４は、たとえば金属板１０Ｃと同材質のステンレスあるいは銅であり、その形状やサイズも金属板１０Ｃと同等なものである。ただし、これに限定されず、材質などを相違させてもよい。樹脂体２０Ｅへの追加の金属板４の接合は、樹脂体２０Ｅの成形時において、成形用の金型内に金属板１０Ｃとともに、追加の金属板４を配置させておくことにより行なうことが可能である。金属板１０Ｃには、滑り止め機能を発揮するように開口部１４に嵌入して金属板１０Ｃの上部に一部が突出する複数の嵌合部２２Ｄが設けられているが、追加の金属板４には、そのような嵌合部２２Ｄに相当する部位は設けられていない。追加の金属板４にあっては、滑り止め機能は必要ではなく、また追加の金属板４は、排水口蓋Ｘ７の下面側の汚れ防止効果を発揮するものであるため、その下面はできる限り平滑であることが望まれるからである。ただし、これに代えて、追加の金属板４にも、複数の開口部を設けて、この開口部に樹脂体２０Ｅの一部を嵌め込ませた構成としてもよい。
【００４９】
追加の金属板４には、金属板１０Ｃの開口部１５、および樹脂体２０Ｅの開口部２１ｃに連通する開口部４０が設けられており、これら一連の開口部１５，２１ｃ，４０が、金属板１０Ｃ上の液体を排水口蓋Ｘ７の下方へ流すことが可能な開口部（排水用孔）をなしている。排水用蓋Ｘ７の四隅またはその近傍部分には、上下一対の補助部材５Ａ，５Ｂが上下に貫通して設けられている。下側の補助部材５Ｂは、追加の金属板４の下方に突出した突出部分を有しており、この突出部分は、排水口蓋Ｘ７の支持脚部として機能する部分となっている。この突出部分の少なくとも下面部分を、滑り止め用の樹脂またはゴム製とすることができる。上側の補助部材５Ａは、金属板１０Ｃおよび樹脂体２０Ｅに設けられた開口部にその上側から差し込まれており、下側の補助部材５Ｂとの連結が図られることによって、下側の補助部材５Ｂが追加の金属板４の下方に抜け落ちないようにするためのものである。上下の補助部材５Ａ，５Ｂを連結させるための手段としては、たとえばこれら双方にネジ部を設けて互いに螺合させる手段、あるいは一方に凸部を設け、かつ他方に孔部を設けた上で、この孔部に前記凸部を圧入させる手段など種々の手段を用いることができる。
【００５０】
本実施形態によれば、樹脂体２０Ｅの下面が追加の金属板４によって覆われているために、樹脂体２０Ｅの下面が汚れることを防止することができる。追加の金属板４自体は、その材質に基づき、汚れを生じ難い、また汚れを生じたとしても、その清掃は容易となる。したがって、排水口蓋Ｘ７を衛生的かつ清掃の容易なものとする上で、より好ましいものとなる。また、追加の金属板４が積層されていることにより、排水口蓋Ｘ７の薄型化を図りつつ、全体の強度アップを図ることが可能な効果も得られる。
【００５１】
図１６に示す排水口蓋Ｘ８においては、追加の金属板４の四隅またはその近傍部分に追加の開口部４１が設けられており、かつ樹脂体２０Ｆは、追加の開口部４１に嵌まり込んで追加の金属板４の下方に突出する部分２９を有している。この部分２９は、排水口蓋Ｘ８の支持用の脚部２９である。
本実施形態によれば、図１５に示した実施形態とは異なり、補助部材５Ａ，５Ｂなどの他の部材を用いる必要がなく、支持用の脚部２９を設けることができる。したがって、全体の部品点数を少なくし、製造コストの低減を図る上で好ましいものとなる。
【００５２】
図１７に示す排水口蓋Ｘ９においては、樹脂体２０Ｇが、略平板状の本体部２１Ｂと、この本体部２１Ｂに一体的に繋がって、その一側縁から上向きに起立した起立板部２８とを有する構成とされている。図示説明は省略するが、起立板部２８は、たとえば排水口蓋Ｘ９を浴室の排水口の上側にセットする際に、浴槽のエプロンに形成された凹部に嵌入させることにより、排水口蓋Ｘ９の位置決めなどを図るのに利用される部分である。金属板１０Ｄは、本体部２１Ｂに積層されているが、起立板部２８には積層されていない。
本実施形態においても、金属板１０Ｄを利用したデザイン性の向上を図るなど、本発明が意図する効果が得られる。本実施形態から理解されるように、本発明でいう樹脂体は、略平板状の形態に限定されない。
【００５３】
図１８に示す排水口蓋Ｘ１０においては、金属板１０Ｄの一部が起立し、かつこの起立部分が、樹脂体２０Ｇの起立板部２８に積層している。
本実施形態によれば、排水口蓋Ｘ１０の見栄えをより良好なものとすることができる。また、起立板部２８が金属板１０Ｄによって覆われるため、起立板部２８の表面が汚れ難くなり、清掃も容易となる効果も得られる。
本実施形態から理解されるように、金属板１０Ｄについても、略平板状の形態に限定されない。この点は、図１５および図１６に示したような、追加の金属板４についても同様である。
【００５４】
本発明は、上述した実施形態の内容に限定されない。たとえば、本発明は、キッチン洗い場の排水口蓋や、プールサイドの排水口蓋などにも適用することができる。また、本発明に係る排水口蓋の各部の具体的な構成は、本発明の意図する範囲内において種々に設計変更自在である。たとえば、金属板に設けられる開口部の平面視形状は円形に限らず、それ以外の楕円形や多角形などであってもよいし、直線の又は蛇行する細長い溝形状などであってもよい。金属板と樹脂体との固定を図るための開口部および嵌合部の数は、金属板と樹脂体との間に要求される固定の程度を充足するものであればよい。排水用に設けられている開口部の数・位置・形状なども適宜に設計変更可能である。
【符号の説明】
【００５５】
Ｘ１〜Ｘ１０  排水口蓋
Ｇ，Ｇ’  隙間
１０，１０Ａ〜１０Ｄ  金属板
１１  上面
１１ａ，１２ａ  縁端
１２  下面
１２’  下向き環状凸部
１３  外周側面
１４，１４Ａ，１４Ｂ  開口部
１５  開口部
２０，２０Ａ〜２０Ｇ  樹脂体
２１，２１Ａ，２１Ｂ  本体部
２１ａ，２１ｂ  切欠き
２１ｃ，２１ｄ  開口部
２２，２２Ａ〜２２Ｅ  嵌合部
２２ａ，２３ａ  先端
２２ｂ，２２ｄ  第２の重なり部
２２ｃ  突起部
２３，２３Ａ  周枠部
２３ｂ  第１の重なり部
２４  凸部
２９  脚部
３０  浴室床
３１  排水口
３１ａ  受け口
４  追加の金属板
４０  開口部
４１  追加の開口部
【図１】
0006663560.tif 000002
【図２】
0006663560.tif 000003
【図３】
0006663560.tif 000004
【図４】
0006663560.tif 000005
【図５】
0006663560.tif 000006
【図６】
0006663560.tif 000007
【図７】
0006663560.tif 000008
【図８】
0006663560.tif 000009
【図９】
0006663560.tif 000010
【図１０】
0006663560.tif 000011
【図１１】
0006663560.tif 000012
【図１２】
0006663560.tif 000013
【図１３】
0006663560.tif 000014
【図１４】
0006663560.tif 000015
【図１５】
0006663560.tif 000016
【図１６】
0006663560.tif 000017
【図１７】
0006663560.tif 000018
【図１８】
0006663560.tif 000019